(57)【要約】【課題】吸引車における排気の臭いを安全、確実かつ簡易に取り除く。【解決手段】吸引物が収容される回収タンク４と、回収タンク４に接続された吸入通路１１を介して回収タンク４内のエアを吸引する真空ポンプ１０と、真空ポンプ１０に接続されて潤滑油を送り込む潤滑油流通路２０と、真空ポンプ１０に接続されるとともに、この真空ポンプ１０を利用してエア及び潤滑油が排出される排気通路１５と、排気通路１５に設けられて吸入通路１１に接続可能とする吸排切換コック１２とを設け、真空ポンプ１０は、上記エアの臭気を変調する臭気変調成分を受け入れ可能とする。【選択図】図３
2020073378.tif 000002
【特許請求の範囲】
【請求項１】
吸引物が収容される回収タンクと、
上記回収タンクに接続された吸入通路を介して上記回収タンク内のエアを吸引する負圧ポンプと、
上記負圧ポンプに接続されて潤滑油を送り込む潤滑油流通路と、
上記負圧ポンプに接続されるとともに当該負圧ポンプを利用して上記エア及び上記潤滑油が排出される排気通路と、
上記排気通路に設けられて上記吸入通路に接続可能とする切換コックと、
を備え、
上記負圧ポンプは、上記エアの臭気を変調する臭気変調成分を受け入れ可能となっている
ことを特徴とする吸引車。
【請求項２】
請求項１に記載の吸引車において、
上記切換コックを介して上記排気通路と上記吸入通路とが連通される
ことを特徴とする吸引車。
【請求項３】
請求項１に記載の吸引車において、
上記排気通路に、上記排気通路を流通する潤滑油を回収するオイルセパレータを備え、
上記切換コックは、上記オイルセパレータから下流側における上記排気通路に設けられており、
上記下流側における上記排気通路には上記臭気変調成分が放出される
ことを特徴とする吸引車。
【請求項４】
請求項１から３のいずれかに記載の吸引車において、
上記負圧ポンプには、上記臭気変調成分が、上記潤滑油に含まれて入れられ、又は上記潤滑油とは別に入れられ、
上記負圧ポンプの稼働により、上記潤滑油とともに上記臭気変調成分を上記負圧ポンプから上記排気通路に排出させる
ことを特徴とする吸引車。
【発明の詳細な説明】
【技術分野】
【０００１】
本発明は、衛生車（バキューム車）、廃液汚泥吸引車などの吸引車に関し、特にその臭気対策に関する。
【背景技術】
【０００２】
従来より、吸引車として屎尿のくみ取りや浄化槽の清掃に使用されるバキューム車（衛生車）が知られている。例えば、特許文献１のように、水循環式真空ポンプと、この水循環式真空ポンプで吸引された吸引物を収容する回収タンクと、水循環式真空ポンプに循環させるための循環水を蓄える補水槽と、水循環式真空ポンプから排出されるエアを排気する排気通路とを備えたバキューム車が知られている。このバキューム車では、循環水に苛性ソーダ又は次亜塩素酸ソーダを脱臭剤として使用し、循環管路における一次脱臭後、活性炭方式の脱臭器によって二次脱臭を行って脱臭効果を高めている。
【先行技術文献】
【特許文献】
【０００３】
【特許文献１】実公平４−２２２９号公報
【発明の概要】
【発明が解決しようとする課題】
【０００４】
しかしながら、従来の吸引車では、水循環式真空ポンプが、例えば回転速度１７５０回／分、最大吸込量１０ｍ３／分 、最大吸込圧力２．６７ｋＰａ、補水槽容量２００リットルのとき、一連の吸引作業で循環水が約１００リットル蒸発する。更に、吸引作業を行うたびに循環水は汚れるため、比較的頻繁に（場合によっては毎日）交換する必要がある。このような状況では、循環水の中に消臭剤を混入させるとなると、その消費量は莫大で、混入作業は面倒であるし、コスト面でも問題がある。また、苛性ソーダ等を混入した循環水は、アルカリ性であり、廃棄処分も面倒で安全性にも問題がある。
【０００５】
一方で、従来の活性炭や脱臭剤を付着させたパルプを利用した脱臭器を排気管に設けるだけでは、臭気を含む排気エアが脱臭剤に触れる機会が少なすぎるため（排気エアの排気量に対して脱臭剤の表面積が小さすぎるため）、脱臭効果が不十分であるという問題がある。
【０００６】
また、燃焼装置を排気通路に設けて排気エアを燃焼させることで消臭するものもあるが、燃焼のためだけに余分な燃料を必要とするばかりでなく、燃焼装置の追加によりその分だけ架装物の重量アップやコストアップに繋がるという問題もある。
【０００７】
本発明は、かかる点に鑑みてなされたものであり、その目的とするところは、安全かつ簡単な方法で確実に排気を消臭することにある。
【課題を解決するための手段】
【０００８】
上記の目的を達成するために、この発明では、吸引車の負圧ポンプに臭気変調用油剤を含む潤滑油を送り込むようにした。
【０００９】
具体的には、第１の発明では、
負圧ポンプと、
上記負圧ポンプの負圧を利用して吸引された吸引物を収容する回収タンクと、
上記負圧ポンプから排出されるエアを外部に排気する排気通路と、
上記吸引物の臭気を消臭する臭気変調用油剤を含む潤滑油を上記負圧ポンプに送り込む潤滑油流通路とを備え、
上記排気通路に、上記潤滑油を含むエアが上記負圧ポンプから排出されるように構成されている。
【００１０】
上記の構成によると、臭気変調用油剤を含む潤滑油は、負圧ポンプ内に吸い込まれた後に撹拌され、エアに含まれた状態で負圧ポンプから排出される。このとき、負圧ポンプ内において、回収タンク内から吸引されたエアと潤滑油とが撹拌されることで、潤滑油とエアとの接触が促進されてエアが消臭される。また潤滑油は、循環水よりも蒸発量が少なく、大部分がオイルセパレータ等により回収されるので、水循環式負圧ポンプのように毎回補充する必要はない。またその交換頻度は、潤滑油が汚れる通常のメンテナンス周期でよいので、水循環式負圧ポンプのように毎日交換する必要がなく、臭気変調用油剤を常に補給する必要がない上に、通常の潤滑油の廃棄手順で廃棄を行える。なお、負圧ポンプは、真空ポンプを含む。
【００１１】
第２の発明では、第１の発明において、
上記エアに含まれる上記潤滑油によって上記エアが消臭される。
【００１２】
上記の構成によると、潤滑油は、負圧ポンプから排気通路に排出されるエア内に、粒状（ミスト状）に細分化された状態で混入している。このように細分化されて表面積が拡大された状態でエアと一緒に負圧ポンプから排出されるので、エア内の臭気に広範囲で確実に接触して、消臭が確実に行われる。
【００１３】
第３の発明では、第１の発明において、
上記エアは、上記潤滑油の一部が上記排気通路に付着するように排出され、
上記排気通路に付着した上記潤滑油によって上記エアが消臭される。
【００１４】
上記の構成によると、負圧ポンプから排出されたエアが、排気通路内に付着した潤滑油（消臭成分）に、継続的且つ長時間にわたって接触しながら排気通路を通過するようになるので、その点でも消臭が確実に行われる。
【００１５】
第４の発明では、第１から第３のいずれか１つの発明において、
上記潤滑油流通路は、上記排気通路を流通するエアに混在する上記潤滑油を回収するオイルセパレータを備え、
上記オイルセパレータにおいて回収された潤滑油が上記潤滑油流通路を流通して上記負圧ポンプに送り込まれる。
【００１６】
上記の構成によると、潤滑油を循環させて何度も繰り返して利用することができるので、ランニングコストを抑えることが可能になる。また、臭気変調用油剤を含む潤滑油の大部分が確実に回収されるので、臭気変調用油剤を含む潤滑油の補給頻度が少なくて済む。
【００１７】
第５の発明では、第１から第４の発明において、
上記臭気変調用油剤は、上記吸引物の臭気を香り構成要素の１つとして取り込むことで消臭するものである。
【００１８】
すなわち、従来は、人が好む強い香りで不快な臭いを覆って不快な臭いをなくすことが行われてきたが、上記構成では、むしろ不快な臭いを取り込み、よい香りに変化させる機能を有する。例えば、予め不快な臭いの成分を除いた香料で構成されている。
【００１９】
第６の発明では、第１から第５のいずれか１つの発明において、
上記臭気変調用油剤は、上記臭気変調成分及び油剤成分を含有する。
【００２０】
第７の発明では、第６の発明において、
上記臭気変調成分は、フラン化合物及びピラン化合物から選択される少なくとも一種の含酸素複素環式化合物を含む。
【００２１】
第８の発明では、第７の発明において、
上記含酸素複素環式化合物の含有量は、臭気変調成分を１００質量％として１〜２０質量％である。
【００２２】
第９の発明では、第７又は第８の発明において、
上記フラン化合物は、フラネオール、フルフラール、５−メチルフルフラール、フルフリルメルカプタン、フルフリールアルコール、２−プロピオニルフラン、２−エチルフラン、メントフラン、２−メチル−３−フランチオール、２−メチル−３−テトラヒドロフランチオール、２−メチル−４，５−ジヒドロ−３−フランチオール、２−メチルフラン、２−メチルテトラヒドロフラン、２−ヘキサノイルフラン、２−ペンチルフラン、２−プロピルフラン、２−（３−フェニルプロピル）テトラヒドロフラン、２，３−ジヒドロベンゾフラン、２，４−ジメチル−４−フェニルテトラヒドロフラン、２−フルフリル−５−メチルフラン、２−ヘプチルフラン、２−メチルベンゾフラン、２−メチル−５−プロピオニルフラン、２−（５−エテニル−５−メチルテトラヒドロフラン−２−イル）−プロパナール、３−｛［２−メチル−（２ｏｒ４），５−ジヒドロ−３−フリル］チオ｝−２−メチルテトラヒドロフラン−３−チオール、２−エテニル−５−イソプロペニル−２−メチルテトラヒドロフラン、５−メチル−２−フランメタンチオール、６−メチル−２，３−ジヒドロチエノ［２，３−ｃ］フラン、２，５−ジメトキシテトラヒドロフラン、３−アセチル−２，５−ジメチルフラン、２−アセチル−５−メチルフラン、２−アセチルフラン、２−ブチルフラン、２，５−ジエチルテトラヒドロフラン、ジフルフリルジスルフィド、ジフルフリルエーテル、ジフルフリルスルフィド、及び２，５−ジメチル−３−フランチオールからなる群より選択される少なくとも一種である。
【００２３】
第１０の発明では、第７から第９のいずれか１つの発明において、
上記フラン化合物の含有量は、臭気変調成分を１００質量％として０．１〜１０質量％である。
【００２４】
上記の構成によると、排泄物の不快な悪臭を、より十分に異なる臭気に変調することができ。
【００２５】
第１１の発明では、第７から第１０のいずれか１つの発明において、
上記ピラン化合物は、マルトール、エチルマルトール、４−アセトキシ−３−ペンチルテトラヒドロピラン、３，５−ジヒドロキシ−６−メチル−２，３−ジヒドロ−４（４Ｈ）−ピラノン、６−エテニル−２，２，６−トリメチルテトラヒドロピラン、５−メチル−３−ブチルテトラヒドロピラン−４−イルアセテート、オクタヒドロ−２Ｈ−１−ベンゾピラン−２−オン、４−メチル−２−（２−メチル−１−プロペニル）テトラヒドロピラン、テアスピラン、ビティスピラン、（２Ｓ，４ａＲ，８ａＳ）−２，５，５，８ａ−テトラメチル−３，４，４ａ，５，６，８ａ−ヘキサヒドロ−２Ｈ−１−ベンゾピラン、６−エテニル−２，２，６−トリメチルテトラヒドロ−３（４Ｈ）−ピラノン、６−ヒドロキシジヒドロテアスピラン、６−アセトキシジヒドロテアスピラン、及び２，６−ジエチル−５−イソプロピル−２−メチルテトラヒドロ−２Ｈ−ピランからなる群より選択される少なくとも１種である。
【００２６】
第１２の発明では、第７から第１１のいずれか１つの発明において、
上記ピラン化合物の含有量は、臭気変調成分を１００質量％として１〜１０質量％である。
【００２７】
上記の構成によると、排泄物の不快な悪臭を、より十分に異なる臭気に変調することができる。
【００２８】
第１３の発明では、第７から第１２のいずれか１つの発明において、
上記臭気変調成分が、更に、バニリン系化合物を含有する。
【００２９】
上記の構成によると、排泄物の不快な悪臭を、より十分に異なる臭気に変調することができる。
【００３０】
第１４の発明では、第１３の発明において、
上記バニリン系化合物は、バニリン、エチルバニリン、アセトアルデヒドエチルバニリンアセタール、バニリンアセテート、エチルバニリンイソブチレート、アセトバニロン、エチルバニレート、エチルバニリンプロピレングリコールアセタール、メチルバニレート、バニリックアシド、バニリンイソブチレート、ブチルバニレート、バニリン２，３−ブタンジオールアセタール、及びバニリンラクテートからなる群より選択される少なくとも一種である。
【００３１】
第１５の発明では、第１３又は第１４の発明において、
上記バニリン系化合物の含有量は、臭気変調成分を１００質量％として５〜２５質量％である。
【００３２】
上記の構成によると、排泄物の不快な悪臭を、より十分に異なる臭気に変調することができ、る。
【００３３】
第１６の発明では、第６から第１５のいずれか１つの発明において、
上記油剤成分は、非イオン性界面活性剤を含む。
【００３４】
第１７の発明では、第６から第１６のいずれか１つの発明において、
上記油剤成分は、グリセリン脂肪酸エステル系非イオン性界面活性剤、ソルビタン脂肪酸エステル系非イオン性界面活性剤、ポリオキシエチレンソルビタン脂肪酸エステル系非イオン性界面活性剤、及びポリオキシソルビトール脂肪酸エステル系非イオン性界面活性剤からなる群より選択される少なくとも一種の脂肪酸エステル系非イオン性界面活性剤を含む。
【００３５】
第１８の発明では、第６から第１７のいずれか１つの発明において、
上記油剤成分は、グリセロールモノオレエート、ソルビタンモノラウレート、ソルビタンモノオレエート、ソルビタントリオレエート、ソルビタンセキスオレエート、ポリオキシエチレンソルビタンモノオレエート、及びポリオキシエチレンソルビタントリオレエートからなる群より選択される少なくとも一種を含む。
【００３６】
第１９の発明では、第６から第１８のいずれか１つの発明において、
上記油剤成分は、ＨＬＢが１１．０以下である。
【００３７】
第２０の発明では、第６から第１９のいずれか１つの発明において、
上記油剤成分の含有量は、臭気変調成分を１００質量部として、１０〜４００質量部である。
【００３８】
第２１の発明では、第６から第２０のいずれか１つの発明において、
上記潤滑油中の上記臭気変調用油剤の含有量は０．０１〜９９ｖｏｌ％である。
【発明の効果】
【００３９】
以上説明したように、本発明によれば、吸引車において、負圧ポンプに臭気変調油剤を含む潤滑油を送り込む潤滑油流通路を設け、その潤滑油に含まれる臭気変調油剤が負圧ポンプ内や排気通路内などで臭気に触れるようにしたので、安全かつ簡単な方法で確実に排気を消臭することができる。
【図面の簡単な説明】
【００４０】
【図１】本発明の実施形態に係る吸引車としての衛生車を示す側面図である。
【図２】本発明の実施形態に係る吸引車としての衛生車を示す平面図である。
【図３】衛生車の真空装置を示す概念図である。
【図４】メインオイルセパレータを示す拡大断面図である。
【図５】臭気変調用油剤の消臭作用を説明する概念図である。
【発明を実施するための形態】
【００４１】
以下、本発明の実施形態を図面に基づいて説明する。
【００４２】
−衛生車の構成−
図１及び図２は、本発明の実施形態の吸引車としての衛生車１を示し、この衛生車１は、エンジン９等の動力により走行可能な車台２と、運転室３とを備え、車台２には、負圧ポンプとしての真空ポンプ１０で吸引された吸引物を収容する回収タンク４が設けられている。回収タンク４の上部には、ホースリール５が設けられ、回収ホース６を巻取可能となっている。回収ホース６は、ホースリール５に巻き取られる先端側回収ホース６ａと、一端が先端側回収ホース６ａに接続されるとともに他端が回収タンク４の後部に接続された基端側回収ホース６ｂとからなる。なお、衛生車１の後部には、回収タンク４内の吸引物を排出する排出ホース２５も接続されている（回収ホース６及び排出ホース２５を２点鎖線で示す）。
【００４３】
図３にも示すように、車台２には、ＰＴＯ装置７（動力取出装置）が設けられ、このＰＴＯ装置７により、真空ポンプ１０が駆動されるようになっている。なお、ＰＴＯ装置７は、ＰＴＯスイッチ８をオンにすると、エンジン９の動力を取り出し可能となっている。真空ポンプ１０は、例えばベーンポンプよりなる。
【００４４】
真空ポンプ１０から吐き出されたエアは、排気通路１５から排出されるようになっている。排気通路１５は、第１補助オイルセパレータ１６を通過してからメインオイルセパレータ１７に接続された後、吸排切換コック１２に接続されている。具体的には、排気通路１５は、吸排切換コック１２が吸入側にあるとき（吸引物を吸引して回収タンク４内に回収するとき）には、この吸排切換コック１２を通り、第２補助オイルセパレータ１３を通過して脱臭器１４を介して外気に放出されるようになっている。逆に回収タンク４内の吸引物を排出するときには、吸排切換コック１２を排出側に切換、回収タンク４側へエアを排出する。
【００４５】
一方、吸入通路１１が真空ポンプ１０の吸入側に接続されている。吸入通路１１は、吸排切換コック１２に接続されている。吸引作業を行うときには、吸排切換コック１２が吸引側に切換られる。
【００４６】
吸排切換コック１２と回収タンク４との間には、エアクリーナ１９が設けられている。吸引作業の際には、回収ホース６から吸い込まれた糞尿は、回収タンク４の底部に回収され、回収タンク４の上部のエアがエアクリーナ１９によってエア内の混入物を回収された後、吸排切換コック１２に到達するようになっている。
【００４７】
そして、衛生車１は、真空ポンプ１０を潤滑する潤滑油５０を送り込む潤滑油流通路２０を備えており、後述するように、この潤滑油５０には吸引物（糞尿）の臭気を消臭する臭気変調用油剤５０ａが含まれている。
【００４８】
潤滑油流通路２０は、排気通路１５を流通するエア内に混入した潤滑油を回収する第１補助オイルセパレータ１６とメインオイルセパレータ１７とを備えている。図４に拡大して示すように、メインオイルセパレータ１７は、オイルタンク１８を有し、このオイルタンク１８の内部の潤滑油５０が潤滑油流通路２０を流通するようになっている。図３に示すように、潤滑油流通路２０では、潤滑油用配管２１によって真空ポンプ１０へ潤滑油５０がオイルタンク１８から供給されるが、その途中にはオイルストレーナ２２が設けられており、オイルストレーナ２２において、潤滑油５０の汚れ具合等が外部から確認できるようになっている。また、第１補助オイルセパレータ１６で分離された潤滑油５０はオイルタンク１８へ回収できるようになっている。また、真空ポンプ１０の圧力差により、オイルタンク１８内の潤滑油５０が潤滑油用配管２１を通過して真空ポンプ１０内に供給される。メインオイルセパレータ１７は、例えば図４に示すようにオイルタンク１８と一体形となっているが、オイルタンク１８は、メインオイルセパレータ１７と別体で設けられていてもよい。メインオイルセパレータ１７は、真空ポンプ１０と空気導入管２６で繋がっており、真空ポンプ１０内の圧力が下がりすぎるのを防ぐ役割を果たす。
【００４９】
エアクリーナ１９と回収タンク４との間には、空気安全弁２３が設けられている。詳しくは図示しないが、空気安全弁２３では、回収タンク４内の圧力が閾値を超えると、高圧エアがスプリングに押されたポペットを押し上げてエアが大気に開放されるようになっている。また回収タンク４には、泡逆流防止装置２４が設けられており、回収タンク４内の糞尿が真空ポンプ１０側へ逆流しないようになっている。
【００５０】
また、図２及び図３に示すように、回収タンク４の後方には、操作盤３０が設けられており、この操作盤３０には、吸排切換コック１２の切換コックレバー１２ａ、エンジン９のスロットルレバー９ａなどが設けられている。
【００５１】
（潤滑油）
潤滑油５０は、臭気変調用油剤５０ａを含有する。潤滑油５０中の臭気変調用油剤５０ａ以外の成分としては特に限定されず、真空ポンプ１０に用いられる従来公知の潤滑油の成分を用いることができる。
【００５２】
潤滑油５０中の臭気変調用油剤５０ａの含有量は特に限定されず、０．０１〜９９ｖｏｌ％が好ましく、０．１〜５０ｖｏｌ％がより好ましく、０．１〜１０ｖｏｌ％が更に好ましく、０．５〜１．５ｖｏｌ％が特に好ましい。潤滑油５０中の臭気変調用油剤の含有量を上記範囲とすることにより、潤滑油５０としての機能を損なわず、真空ポンプの不具合の発生が抑制され、また、臭気変調用油剤の臭いが強くなりすぎず、潤滑油５０が十分な臭気変調効果を発揮することができ、かつ、液安定性に優れる。
【００５３】
臭気変調用油剤５０ａを含有する潤滑油５０を真空ポンプ１０に充填する際は、臭気変調用油剤５０ａと潤滑油５０とを撹拌混合して、臭気変調用油剤５０ａを含有する潤滑油５０を調製し、次いで、真空ポンプ１０に充填して用いることができる。また、臭気変調用油剤５０ａと潤滑油５０とを別々に真空ポンプ１０内に充填し、次いで、真空ポンプ１０を稼働させることにより、真空ポンプ１０内で臭気変調用油剤５０ａと潤滑油５０とを混合して、臭気変調用油剤を含有する潤滑油５０として用いてもよい。
【００５４】
この臭気変調用油剤５０ａは、従来のような不快な臭いを人が好む強い香りで覆ってなくす、というよりも、図５に示すように、不快な臭いＸを取り込み、よい香りを更によい香りに変化させる機能を有する。つまり、糞尿臭などの不快な臭いＸが加わる前も後もよい香りとなるように、よい香りの香料Ａ，Ｂ，Ｃが調合されている。少しの塩が甘みを増すように、不快な臭いがよい香りを引き立てる。これを利用して予め不快な臭いＸの成分を除いた香料Ａ，Ｂ，Ｃで臭気変調用油剤５０ａが構成されている。
【００５５】
また、臭気変調用油剤５０ａと潤滑油（臭気変調用油剤５０ａが混入されていない潤滑油）との相性がよく、潤滑油としての機能を阻害することはない。また、臭気変調用油剤５０ａと潤滑油とが十分に混ざり合っているので、確実に消臭機能が発揮される上、潤滑油を交換するまでの間、消臭機能が長続きする。
【００５６】
（臭気変調用油剤）
上記臭気変調用油剤５０ａとしては、臭気変調成分及び油剤成分を含有する臭気変調用油剤が挙げられる。以下、この臭気変調用油剤を例示的に説明する。
【００５７】
（臭気変調成分）
臭気変調成分は、フラン化合物及びピラン化合物から選択される少なくとも一種の含酸素複素環式化合物を含むことが好ましい。
【００５８】
（フラン化合物）
フラン化合物は、含酸素複素環式化合物であり、４個の炭素原子と１個の酸素原子により形成される５員環のフラン骨格を有していれば特に限定されない。フラン化合物としては、例えば、フラネオール、フルフラール、５−メチルフルフラール、フルフリルメルカプタン、フルフリールアルコール、２−プロピオニルフラン、２−エチルフラン、メントフラン、２−メチル−３−フランチオール、２−メチル−３−テトラヒドロフランチオール、２−メチル−４，５−ジヒドロ−３−フランチオール、２−メチルフラン、２−メチルテトラヒドロフラン、２−ヘキサノイルフラン、２−ペンチルフラン、２−プロピルフラン、２−（３−フェニルプロピル）テトラヒドロフラン、２，３−ジヒドロベンゾフラン、２，４−ジメチル−４−フェニルテトラヒドロフラン、２−フルフリル−５−メチルフラン、２−ヘプチルフラン、２−メチルベンゾフラン、２−メチル−５−プロピオニルフラン、２−（５−エテニル−５−メチルテトラヒドロフラン−２−イル）−プロパナール、３−｛［２−メチル−（２ｏｒ４），５−ジヒドロ−３−フリル］チオ｝−２−メチルテトラヒドロフラン−３−チオール、２−エテニル−５−イソプロペニル−２−メチルテトラヒドロフラン、５−メチル−２−フランメタンチオール、６−メチル−２，３−ジヒドロチエノ［２，３−ｃ］フラン、２，５−ジメトキシテトラヒドロフラン、３−アセチル−２，５−ジメチルフラン、２−アセチル−５−メチルフラン、２−アセチルフラン、２−ブチルフラン、２，５−ジエチルテトラヒドロフラン、ジフルフリルジスルフィド、ジフルフリルエーテル、ジフルフリルスルフィド、及び２，５−ジメチル−３−フランチオール等が挙げられる。これらの中でも、フラネオール、５−メチルフルフラール、フルフリルメルカプタンが好ましい。
【００５９】
フラン化合物の含有量は、臭気変調成分を１００質量％として０．１〜１０質量％が好ましく、０．４〜１０質量％がより好ましく、０．４〜３質量％が更に好ましく、０．４〜１．５質量％が特に好ましく、０．５〜１．２質量％が最も好ましい。フラン化合物の含有量を上記範囲とすることにより、排泄物の不快な悪臭を、より十分に異なる臭気に変調することができ、本実施形態により排泄物の悪臭による不快感をより十分に低減することができる。
【００６０】
上記フラン化合物は、一種単独で用いてもよいし、二種以上を混合して用いてもよい。
【００６１】
（ピラン化合物）
ピラン化合物は、含酸素複素環式化合物であり、５個の炭素原子と１個の酸素原子により形成される６員環のエーテル化合物を骨格とするピラン骨格を有していれば特に限定されない。ピラン化合物としては、例えば、マルトール、エチルマルトール、４−アセトキシ−３−ペンチルテトラヒドロピラン、３，５−ジヒドロキシ−６−メチル−２，３−ジヒドロ−４（４Ｈ）−ピラノン、６−エテニル−２，２，６−トリメチルテトラヒドロピラン、５−メチル−３−ブチルテトラヒドロピラン−４−イルアセテート、オクタヒドロ−２Ｈ−１−ベンゾピラン−２−オン、４−メチル−２−（２−メチル−１−プロペニル）テトラヒドロピラン、テアスピラン、ビティスピラン、（２Ｓ，４ａＲ，８ａＳ）−２，５，５，８ａ−テトラメチル−３，４，４ａ，５，６，８ａ−ヘキサヒドロ−２Ｈ−１−ベンゾピラン、６−エテニル−２，２，６−トリメチルテトラヒドロ−３（４Ｈ）−ピラノン、６−ヒドロキシジヒドロテアスピラン、６−アセトキシジヒドロテアスピラン、及び２，６−ジエチル−５−イソプロピル−２−メチルテトラヒドロ−２Ｈ−ピラン等が挙げられる。これらの中でも、マルトール、エチルマルトールが好ましい。
【００６２】
ピラン化合物の含有量は、臭気変調成分を１００質量％として１〜１０質量％が好ましく、１〜８質量％がより好ましく、１〜５質量％が更に好ましく、２〜５質量％が特に好ましい。ピラン化合物の含有量を上記範囲とすることにより、排泄物の不快な悪臭を、より十分に異なる臭気に変調することができ、本実施形態により排泄物の悪臭による不快感をより十分に低減することができる。
【００６３】
上記ピラン化合物は、一種単独で用いてもよいし、二種以上を混合して用いてもよい。
【００６４】
上記含酸素複素環式化合物の臭気変調剤成分中の含有量、すなわち、フラン化合物及びピラン化合物の含有量の合計は、臭気変調成分を１００質量％として、１〜２０質量％が好ましく、１〜１０質量％がより好ましく、１〜５質量％が更に好ましく、２〜５質量％が特に好ましい。含酸素複素環式化合物の含有量を上記範囲とすることにより、排泄物の不快な悪臭を、より十分に異なる臭気に変調することができ、本実施形態により排泄物の悪臭による不快感をより十分に低減することができる。
【００６５】
臭気変調成分中のフラン化合物と、ピラン化合物との含有量の比は、質量比でフラン化合物：ピラン化合物＝１：２〜１：５が好ましく、１：３〜１：４がより好ましい。フラン化合物と、ピラン化合物との含有量の比を上記範囲とすることにより、排泄物の不快な悪臭を、より十分に異なる臭気に変調することができ、本実施形態により排泄物の悪臭による不快感をより十分に低減することができる。
【００６６】
（バニリン系化合物）
臭気変調成分は、更にバニリン系化合物を含有することが好ましい。臭気変調成分がバニリン系化合物を含有することにより、排泄物の不快な悪臭を、より十分に異なる臭気に変調することができ、本実施形態により排泄物の悪臭による不快感をより十分に低減することができる。
【００６７】
バニリン系化合物は、バニリン骨格を有する化合物であれば特に限定されない。バニリン系化合物としては、例えば、バニリン、エチルバニリン、アセトアルデヒドエチルバニリンアセタール、バニリンアセテート、エチルバニリンイソブチレート、アセトバニロン、エチルバニレート、エチルバニリンプロピレングリコールアセタール、メチルバニレート、バニリックアシド、バニリンイソブチレート、ブチルバニレート、バニリン２，３−ブタンジオールアセタール、バニリンラクテート等が挙げられる。これらの中でも、バニリンが好ましい。
【００６８】
バニリン系化合物の含有量は、臭気変調成分を１００質量％として５〜２５質量％が好ましく、５〜２０質量％がより好ましく、１０〜２０質量％が更に好ましく、１０〜１５質量％が特に好ましい。バニリン系化合物の含有量を上記範囲とすることにより、排泄物の不快な悪臭を、より十分に異なる臭気に変調することができ、本実施形態により排泄物の悪臭による不快感をより十分に低減することができる。
【００６９】
上記バニリン系化合物は、一種単独で用いてもよいし、二種以上を混合して用いてもよい。
【００７０】
（ピリジン類）
臭気変調成分は、更にピリジン類を含有することが好ましい。臭気変調成分がピリジン類を含有することにより、排泄物の不快な悪臭を、より十分に異なる臭気に変調することができ、本実施形態により排泄物の悪臭による不快感をより十分に低減することができる。
【００７１】
ピリジン類は、含窒素複素環式芳香族化合物であり、５個の炭素原子と１個の窒素原子により形成される６員環構造を有するピリジンを骨格とするピリジン骨格を有していれば特に限定されない。ピリジン類としては、例えば、２−アセチルピリジン、３−アセチルピリジン、４−アセチルピリジン、２−アセチル−１，４，５，６−テトラヒドロピリジン、２−アセチル−４−イソプロペニルピリジン、４−アセチル−２−イソプロペニルピリジン、２−アセチル−４−イソプロピルピリジン、３，５−ジメチル−４，５，６，７−テトラヒドロチエノ［３，２−ｃ］ピリジン、２−アセチル−３，４，５，６−テトラヒドロピリジン等が挙げられる。これらの中でも、２−アセチルピリジンが好ましい。
【００７２】
ピリジン類の含有量は、臭気変調成分を１００質量％として、０．０１〜０．３質量％が好ましく、０．０５〜０．２質量％がより好ましく、０．０９〜０．１１質量％が更に好ましい。ピリジン類の含有量を上記範囲とすることにより、臭気変調用油剤が日常生活での生活環境や、産業において発生する悪臭を異なる臭気により変調し易くなり、これらの臭気による不快感を十分に低減することができる。
【００７３】
上記ピリジン類は、一種単独で用いてもよいし、二種以上を混合して用いてもよい。
【００７４】
（ピラジン類）
臭気変調成分は、更にピラジン類を含有することが好ましい。臭気変調成分がピラジン類を含有することにより、排泄物の不快な悪臭を、より十分に異なる臭気に変調することができ、本実施形態により排泄物の悪臭による不快感をより十分に低減することができる。
【００７５】
ピラジン類は、含窒素複素環式芳香族化合物であり、４個の炭素原子と２個の窒素原子により形成される６員環構造を有する化合物であるピラジンを骨格とするピラジン骨格を有していれば特に限定されない。ピラジン類としては、例えば、２−メチルチオ−３−メチルピラジン、２−メトキシ−３−メチルピラジン、２−エチル−３（５／６）ジメチルピラジン、２−エチル−３−メチルピラジン、２−メトキシ−５−メチルピラジン、２−アセチル−３（５／６）−ジメチルピラジン、２−アセチル−３−エチルピラジン、２−アセチル−３−メチルピラジン、アセチルピラジン、２−（フルフリルチオ）−（３／５／６）−メチルピラジン、２−メチル−（５／６）−（メチルチオ）ピラジン、２−エチル−３−（メチルチオ）ピラジン、２−イソプロピル−３−（メチルチオ）ピラジン、２−ｓｅｃ−ブチル−３−メトキシピラジン、２−エトキシ−（３／５／６）−メチルピラジン、２−エトキシ−３−エチルピラジン、２−エトキシ−３−イソプロピルピラジン、２−エチル−３−メトキシピラジン、２−ヘキシル−３−メトキシピラジン、２−イソブチル−３−メトキシピラジン、２−イソプロポキシ−３−メチルピラジン、２−イソプロピル−（３／５／６）−メトキシピラジン、２−メトキシ−（５／６）−メチルピラジン、２−メトキシ−３，５−ジメチルピラジン、２−イソプロピル−３−メトキシピラジン、メトキシピラジン、２−メチル−６−プロポキシピラジン、２−エトキシ−（５／６）−メチルピラジン及び２−（ヒドロキシメチル）−５−メチルピラジン等が挙げられる。これらの中でも、２−メチルチオ−３−メチルピラジン、２−メトキシ−３−メチルピラジン、２−エチル−３（５／６）ジメチルピラジン、２−エチル−３−メチルピラジンが好ましい。
【００７６】
ピラジン類の含有量は、臭気変調成分を１００質量％として０．０１〜０．５質量％が好ましく、０．０５〜０．５質量％がより好ましく、０．０５〜０．３質量％が更に好ましく、０．１〜０．３質量％が特に好ましい。ピラジン類の含有量を上記範囲とすることにより、排泄物の不快な悪臭を、より十分に異なる臭気に変調することができ、本実施形態により排泄物の悪臭による不快感をより十分に低減することができる。
【００７７】
上記ピラジン類は、一種単独で用いてもよいし、二種以上を混合して用いてもよい。
【００７８】
臭気変調成分は、本発明の効果を妨げない限り、他の添加剤を含有していてもよい。他の添加剤としては、例えば、上記フラン化合物、ピラン化合物、バニリン系化合物、ピリジン類及びピラジン類以外のテルペンアルコール系化合物、エステル系化合物、アルデヒド系化合物、ケトン系化合物等が挙げられる。
【００７９】
臭気変調成分中の上記他の添加剤の含有量の合計は、臭気変調成分を１００質量％として３０質量％以下が好ましく、２０質量％以下がより好ましく、１０質量％以下が更に好ましく、５質量％以下が特に好ましい。他の添加剤の含有量の合計を上記範囲とすることにより、臭気変調用油剤が日常生活での生活環境や、産業において発生する悪臭を異なる臭気により変調し易くなり、これらの臭気による不快感を十分に低減することができる。
【００８０】
（溶媒）
臭気変調成分において、上記各成分は、溶媒中に分散していることが好ましい。各成分が溶媒中に分散していることにより、臭気変調用油剤中に各成分が均一に分散することができ、臭気変調用油剤が液安定性に優れ、臭気変調効果をより効果的に発揮することができる。
【００８１】
溶媒としては水、溶剤を用いることができるが、油剤成分との相溶性に優れる点で、溶剤が好ましい。溶剤としては特に限定されず、例えば、アルコール、エーテル、ケトン、エステル等が挙げられる。中でも、油剤成分との相溶性に特に優れる点で、アルコール、エステルが好ましい。
【００８２】
上記アルコールとしては特に限定されず、モノアルコール、又は、ジオール、トリオール等のポリオールが挙げられる。また、上記アルコールとしては、炭素数２〜４のアルコールを好適に用いることができる。上記アルコールの炭素数は、２〜３がより好ましい。
【００８３】
上記アルコールとしては、具体的には、エタノール、プロピレングリコール、グリセリン、２−２（エトキシエトキシ）エタノール等が挙げられ、臭気変調用油剤を使用した際に、有害性が低い点で、エタノール、２−２（エトキシエトキシ）エタノール、プロピレングリコールが好ましい。
【００８４】
上記エステルとしては特に限定されず、食品衛生法第１０条に基づき、厚生労働大臣が定めた指定添加物の中のエステルを好適に用いることができる。具体的には、食品衛生法施行規則別表１に収載されている「指定添加物」のうち、エステル類に分類される化合物を好適に用いることができる。これらの中でも、比較的臭いが弱く、他の成分の香りを妨げない点で、安息香酸ベンジル、トリエチルシトレート、イソプロピルミリステートをより好適に用いることができる。
【００８５】
上記溶媒は、一種単独で用いてもよいし、二種以上を混合して用いてもよい。
【００８６】
溶媒の含有量は、臭気変調剤を１００質量％として２０〜９０質量％が好ましく、３０〜９０質量％がより好ましく、４０〜８５質量％が更に好ましく、５０〜８５質量％が特に好ましい。溶媒の含有量を上記範囲とすることにより、臭気変調用油剤中に各成分が均一に分散することができ、臭気変調用油剤が液安定性に優れ、臭気変調効果をより効果的に発揮することができる。
【００８７】
（油剤成分）
油剤成分は、上記臭気変調成分に用いられる成分と異なる成分を含む油剤であれば特に限定されない。上記油剤成分としては、臭気変調成分との相溶性に優れ、かつ、真空ポンプ１０に用いられる潤滑油５０中での相溶性に優れる油剤成分を用いることが好ましい。このような油剤成分としては、非イオン性界面活性剤を含む油剤成分が挙げられる。
【００８８】
上記非イオン性界面活性剤としては特に限定されず、例えば、脂肪酸エステル系非イオン性界面活性剤等を用いることができる。脂肪酸エステル系非イオン性界面活性剤としては、グリセリン脂肪酸エステル系非イオン性界面活性剤、ソルビタン脂肪酸エステル系非イオン性界面活性剤、ポリオキシエチレンソルビタン脂肪酸エステル系非イオン性界面活性剤、ポリオキシソルビトール脂肪酸エステル系非イオン性界面活性剤等が挙げられ、中でも、機械に用いられる潤滑油５０との相溶性により優れる点で、グリセリン脂肪酸エステル系非イオン性界面活性剤、ソルビタン脂肪酸エステル系非イオン性界面活性剤、ポリオキシエチレンソルビタン脂肪酸エステル系非イオン性界面活性剤が好ましい。
【００８９】
上記非イオン性界面活性剤としては、より具体的には、グリセロールモノオレエート、ソルビタンモノラウレート、ソルビタンモノオレエート、ソルビタントリオレエート、ソルビタンセキスオレエート、ポリオキシエチレンソルビタンモノオレエート、ポリオキシエチレンソルビタントリオレエート等が、真空ポンプ１０に用いられる潤滑油５０中での相溶性により優れる点で好適に用いることができる。
【００９０】
上記油剤成分は、一種単独で用いてもよいし、二種以上を混合して用いてもよい。
【００９１】
油剤成分のＨＬＢは、１１．０以下が好ましく、１０．０以下がより好ましく、９．０以下が更に好ましく、５．０以下が特に好ましい。また、油剤成分のＨＬＢは、２．５以上が好ましい。油剤成分のＨＬＢを上記範囲とすることにより、真空ポンプ１０に用いられる潤滑油５０中での相溶性が、より向上する。
【００９２】
なお、上記ＨＬＢ（Ｈｙｄｒｏｐｈｉｌｅ−Ｌｉｐｏｐｈｉｌｅ  Ｂａｌａｎｃｅ）は親水親油バランス値を示す。本明細書において、上記ＨＬＢは、グリフィン法により、下記式に基づいて算出される値である。なお、油剤成分を二種以上混合して用いる場合は、それぞれのＨＬＢ値の平均値である。
【００９３】
[ＨＬＢ]＝２０×（油剤成分内の親水基の割合（質量％））
グリフィン法では、ＨＬＢ＝２０×（油剤成分内の親水基のｗｔ％）となる。
【００９４】
臭気変調用油剤中の油剤成分の含有量は、臭気変調成分を１００質量部として、１０〜４００質量部が好ましく、５０〜１５０質量部がより好ましい。油剤成分の含有量を上記範囲とすることにより、臭気変調用油剤がより優れた臭気変調性を示すことができ、かつ、真空ポンプ１０に用いられる潤滑油５０中での相溶性が、より向上する。
【００９５】
上記油剤成分は、本発明の効果を妨げない限り、上記非イオン界面活性剤の他に、他の油剤を含有していてもよい。
【００９６】
臭気変調用油剤は、本発明の効果を妨げない限り、上記臭気変調成分及び油剤成分の他に、他の添加剤を含有していてもよい。
【００９７】
−衛生車の作動−
次に、本実施形態に係る衛生車１の作動について説明する。
【００９８】
吸引作業では、まず、ＰＴＯスイッチ８により、ＰＴＯ装置７を駆動し、エンジン９の動力を取り出して真空ポンプ１０が駆動される。吸排切換コック１２が吸入側にされることにより、回収タンク４内に負圧が発生し、回収ホース６からエアが吸い込まれる。
【００９９】
次いで、先端側回収ホース６ａの先端を浄化槽などに挿入し、糞尿が回収タンク４に回収される。そのときのエアは、臭気と共に回収タンク４内を漂いつつエアクリーナ１９、吸排切換コック１２及び吸入通路１１を介して真空ポンプ１０に吸引される。
【０１００】
真空ポンプ１０内には、回転により負圧が発生し、オイルタンク１８から潤滑油５０が潤滑油用配管２１を通過して供給される。真空ポンプ１０に取り込まれた潤滑油５０が粒状（ミスト状）に細分化され、回収タンク４内のエア（糞尿臭）と一緒に排気通路１５に排出される。このように粒状となって潤滑油５０の表面積が拡大するので、排気通路１５を通過する臭気を潤滑油５０（臭気変調成分）に確実に接触させることができる。
【０１０１】
図５で示したように、臭気変調用油剤５０aの香料成分Ａ，Ｂ，Ｃに、不快な臭いＸが加わることで、更によい香りとなる。これにより、真空ポンプ１０から排出されたエアの消臭が確実に行われる。真空ポンプ１０内を潤滑した潤滑油５０の大部分は、排気通路１５を通過しながら消臭を行った後、第１補助オイルセパレータ１６とメインオイルセパレータ１７によりエアから分離されオイルタンク１８に回収される。
【０１０２】
より詳細に説明すると、真空ポンプ１０内から排出されたエアは、まず、第１補助オイルセパレータ１６においてエア内に含まれる粒状潤滑油５１が障壁に当たるなどしてその底部に分離された後、オイルタンク１８に回収されるが、エア内の粒状潤滑油５１はまだ完全に回収されていない。このように、エア内に残っている粒状潤滑油５１が広範囲においてエア内の臭気に触れる機会があるため、消臭が確実に行われる。
【０１０３】
次いで、粒状潤滑油５１を含むエアが流れ込んだメインオイルセパレータ１７内においても、図４に示すように、粒状潤滑油５１が臭気を含むエアに広範囲で触れる上に、オイルタンク１８内に溜まった潤滑油５０により確実に消臭が行われる。
【０１０４】
このように、上記実施形態では、臭気変調成分を含む潤滑油５０は、真空ポンプ１０内に吸い込まれることにより撹拌されて粒状に細分化され、エア内に粒状潤滑油５１として混入している。このため、エア内の臭気に広範囲で確実に接触するので、消臭が確実に行われる。
【０１０５】
また、排気通路１５内壁には、エア内に含まれる粒状の潤滑油５０の一部が付着して残留するが、これに、排気通路１５内を通過するエアが連続的に接触する。このようにして、付着した潤滑油５０が継続的に消臭作用を発揮するので、臭気を含むエアは、真空ポンプ１０から排出された後、長時間臭気変調成分を含む潤滑油５０に接することとなり、その点でも消臭が確実に行われる。
【０１０６】
なお、ごく僅かながら、メインオイルセパレータ１７から排出されたエアに潤滑油５０（臭気変調成分）が含まれることがあるが、これによって、メインオイルセパレータ１７から外部に放出されるまでの間もエアが消臭される。
【０１０７】
更に潤滑油５０は、循環水のように蒸発することはなく、大部分がメインオイルセパレータ１７、第１補助オイルセパレータ１６等により確実に回収されるので、水循環式真空ポンプのように頻繁に補充する必要はない。
【０１０８】
また、その交換頻度は、潤滑油５０が汚れる通常のメンテナンス周期でよいので、水循環式真空ポンプのように頻繁に（毎日）交換する必要がなく、臭気変調用油剤５０ａを頻繁に補給する必要がない上に、通常の潤滑油５０の廃棄手順で廃棄を行える。
【０１０９】
ところで、潤滑油を真空ポンプに供給するタイプの従来の衛生車では、真空ポンプに供給された潤滑油は通常、粒状となって臭気と一緒に排出され、一部は排出通路の内壁に付着する。
【０１１０】
排出された潤滑油を効率良く回収して再度真空ポンプに供給する循環を考えると、内壁への付着は好ましくない。
【０１１１】
これに対して本発明では、潤滑油５０の内壁への付着に注目して、内壁に付着した臭気変調成分入り潤滑油５０を通過エアに継続的（連続的）に接触させることにより、消臭効果を格段に高めている。
【０１１２】
潤滑油５０を内壁に付着させ易くするための対策として、排気通路１５の形状、潤滑油５０の成分、及びこれら両方を検討することが考えられる。排気通路１５の形状に関しては、例えば、エアの流れを妨げるように曲がった形状とすることが考えられる。一方、潤滑油５０の成分に関しては、例えば、付着し易い成分のものを使用することが考えられる。
【０１１３】
排気通路１５のどの部分に潤滑油５０が付着するかに応じて、消臭効果が異なると考えられる。例えば、真空ポンプ１０近傍の部分に重点的に付着させるよりも、排気通路１５全体にわたって付着させる方が、排気通路１５内を通過するエアが潤滑油５０に接触する機会が多く、消臭効果を高めることができると考えられる。
【０１１４】
したがって、本実施形態に係る衛生車１によると、真空ポンプ１０に臭気変調成分を含む潤滑油５０を送り込む潤滑油流通路２０を設け、その潤滑油５０に含まれる臭気変調成分が真空ポンプ１０内や排気通路１５内などで臭気に触れるようにしたので、安全かつ簡単な方法で確実に排気を消臭することができる。
【実施例】
【０１１５】
以下に実施例及び比較例を示して本発明を具体的に説明する。但し、本発明は実施例に限定されない。
【０１１６】
実施例１
（臭気変調成分の調製）
表１に示す臭気変調成分の原料を、混合槽に投入して混合、撹拌し、臭気変調成分を調製した。具体的には、加熱装置を備えた混合槽に、表１に示す配合により溶媒を投入し、次いで他の原料を順次添加して、２０℃の条件下で３０分間撹拌して、臭気変調成分を調製した。
【０１１７】
（臭気変調用油剤の調製）
油剤成分として、ソルビタンモノオレエート（ＨＬＢ４．３）を用意し、上記のようにして調製した臭気変調成分と、ソルビタンモノオレエートとを質量比で１：１の割合となるように混合槽中で常温で混合し、臭気変調用油剤を調製した。
【０１１８】
（潤滑油の調整）
上記のようにして調製した臭気変調用油剤５０ｃｃ、及び、潤滑油４９５０ｃｃを、衛生車（バキュームカー）の真空ポンプ１０内にそれぞれ充填した。真空ポンプ１０を稼働させることにより、臭気変調用油剤と潤滑油とが混合されて、臭気変調用油剤を１ｖｏｌ％含有する、５Ｌの潤滑油が調製された。これを用いて、以下の臭気変調試験を行い、評価した。
【０１１９】
（臭気変調試験）
上記のようにして得られた、臭気変調用油剤を含有する潤滑油が充填された真空ポンプ１０を備える衛生車により、くみ取り現場でくみ取りを行い、作業者により、臭いを下記評価基準に従って評価した。なお、下記評価において、３以上であれば臭気変調効果が得られていると評価される。
５：糞尿の臭いを全く感じず、非常によい臭いだと感じた
４：糞尿の臭いを殆ど感じず、よい臭いだと感じた
３：糞尿の臭いを若干感じたが、不快でないと感じた
２：糞尿の臭いを感じ、よい臭いだと感じなかった
１：糞尿の臭いを強く感じ、不快な臭いだと感じた
上記評価を２回行った。１回目の結果を表２に示し、２回目の評価を表３に示す。
【０１２０】
【表１】
2020073378.tif 000003
【０１２１】
【表２】
2020073378.tif 000004
【０１２２】
【表３】
2020073378.tif 000005
【０１２３】
（その他の実施形態）
本発明は、上記実施形態について、以下のような構成としてもよい。
【０１２４】
すなわち、上記実施形態では、吸引車は衛生車１としたが、廃液汚泥吸引車など真空ポンプと、この真空ポンプで吸引された吸引物を収容する回収タンクと、この真空ポンプから排出されるエアを排気する排気通路と、真空ポンプに潤滑油５０を送り込む潤滑油流通路とを備え、排気通路に、潤滑油５０を含むエアが負圧ポンプから排出されるように構成される吸引車であれば、特に限定されない。
【０１２５】
また、メインオイルセパレータ１７を通過したエアを、脱臭器１４を通過させることなく排気させるように構成してもよい。このように構成しても、臭気変調用油剤を含む潤滑油５０が確実かつ広範囲（真空ポンプ１０内や排気通路１５内）で臭気を含むエアに触れるので、消臭を確実に行うことができる。
【０１２６】
上記実施形態では、真空ポンプ１０は、ベーンポンプで説明しているが、これに限定されず、吸引されたエア内に潤滑油５０が含まれ、この潤滑油５０が内部を潤滑する他のロータ式のポンプでもよい。
【０１２７】
更に上記実施形態では、真空ポンプ１０を利用しているが、必ずしも真空を保つ必要はなく、負圧ポンプであればよい。
【０１２８】
なお、従来の衛生車１であっても、本願の潤滑油５０を適切に循環させることにより、同様の効果を発揮させることができるようにしてもよい。
【０１２９】
なお、以上の実施形態は、本質的に好ましい例示であって、本発明、その適用物や用途の範囲を制限することを意図するものではない。
【符号の説明】
【０１３０】
１      衛生車（回収車）
２      車台
３      運転室
４      回収タンク
５      ホースリル
６      回収ホース
６ａ    先端側回収ホース 
６ｂ    基端側回収ホース 
７      ＰＴＯ装置
８      ＰＴＯスイッチ
９      エンジン
９ａ    スロットルレバー
１０      真空ポンプ（負圧ポンプ）
１１      吸入通路
１２      吸排切換コック
１２ａ    切換コックレバー
１３      第２補助オイルセパレータ
１４      脱臭器
１５      排気通路
１６      第１補助オイルセパレータ
１７      メインオイルセパレータ
１８      オイルタンク
１９      エアクリーナ
２０      潤滑油流通路
２１      潤滑油用配管
２２      オイルストレーナ
２３      空気安全弁
２４      泡逆流防止装置
２５      排出ホース
２６      空気導入管
３０      操作盤
５０      潤滑油
５０ａ    臭気変調用油剤
５１      粒状潤滑油
【図１】
2020073378.tif 000006
【図２】
2020073378.tif 000007
【図３】
2020073378.tif 000008
【図４】
2020073378.tif 000009
【図５】
2020073378.tif 000010